(57)【要約】【課題】端数の紙幣を抜き取る際の操作のわずらわしさを解消し、端数の紙幣の抜き取り忘れを防止する。【解決手段】鑑別部３での鑑別計数終了後、一時集積部６ａ〜６ｄに集積された端数の紙幣を移送体９により順次引き取って搬送路１４ｅ〜１４ｈに一括して受渡し、更に搬送路１４ｉ、１４ｊによりオープンポケット５に搬送して、端数の紙幣をすべてオープンポケット５に集積させた後、オペレータに抜き取らせる。【選択図】        図１
2007066249.tif 000002
【特許請求の範囲】
【請求項１】
施封する紙幣の計数を行って複数の一時集積部に集積し、一次集積部毎に一定枚数の紙幣が集積されたとき、その紙幣を移送体により一括して施封部に移送し、該施封部で紙幣を施封用の帯で紙幣束に施封して放出する紙幣整理装置において、
前記一定枚数に満たない端数の紙幣を集積する端数紙幣集積部と、該端数紙幣集積部に紙幣を搬送する搬送路を備え、
計数終了後前記各一時集積部に集積された端数の紙幣を前記移送体により順次引き取って前記搬送路に一括して受渡し、該搬送路により前記端数紙幣集積部に搬送して、端数の紙幣をすべて前記端数紙幣集積部に集積させることを特徴とする紙幣整理装置。
【請求項２】
施封する紙幣を金種等の鑑別及び計数を行って複数の一時集積部に集積し、一次集積部毎に一定枚数の紙幣が集積されたとき、その紙幣を移送体により一括して施封部に移送し、該施封部で紙幣を施封用の帯で紙幣束に施封して放出する紙幣整理装置において、
前記一定枚数に満たない端数の紙幣を集積する端数紙幣集積部と、該端数紙幣集積部に紙幣を搬送する搬送路を備え、
計数終了後前記各一時集積部に集積された紙幣を前記移送体により順次引き取って前記施封部に一括して受渡し、該施封部で紙幣束に施封した後、その紙幣束を前記移送体により引き取って前記搬送路に受渡し、搬送路により前記端数紙幣集積部に搬送して、紙幣束を前記端数紙幣集積部に集積させることを特徴とする紙幣整理装置。
【請求項３】
請求項１または請求項２に記載の紙幣整理装置において、
前記端数紙幣集積部に紙幣を搬送する搬送路は縦方向に延在する縦方向搬送路とし、
前記前記移送体は水平及び垂直方向に移動可能でかつ垂直方向に９０度回動できるものとし、
前記移送体は前記一次集積部または前記施封部から端数の紙幣を引き取ると、前記縦方向搬送路の下端側に移動して、端数の紙幣を前記縦方向搬送路に受け渡すことを特徴とする紙幣整理装置。
【請求項４】
請求項２に記載の紙幣整理装置において、
前記施封部は印字手段を有し、
前記端数の紙幣を施封するとき、前記印字手段により施封用の帯に端数の紙幣の枚数と端数であることを示す印字を行うことを特徴とする紙幣整理装置。
【発明の詳細な説明】
【技術分野】
【０００１】
本発明は、金融機関等で使用される紙幣整理装置に関するもので、特に紙幣に対する鑑別、計数を行い、その紙幣を一定枚数毎に施封して放出する紙幣整理装置に関する。
【背景技術】
【０００２】
従来のこの種の装置として、例えば、特許文献１に示されるものがある。
この装置では、例えば４つの一次集積部を備え、オペレータが４金種の紙幣の金種毎の施封あるいは任意の２金種の正券と損券別の施封を指定して、紙幣をセットすると、セットした紙幣を鑑別部に搬送して金種等の鑑別及び計数を行い、計数した紙幣を例えば金種毎あるいは正損に分けて複数の一次集積部に集積する。
【０００３】
そして、紙幣が一定枚数集積されると、その紙幣を移送手段により施封部に移送し、この施封部により紙幣をテープで施封して紙幣束として放出する。
また、セットされた紙幣の鑑別、計数が終了した後、各一時集積部に一定枚数に達しない端数の枚数の紙幣が存在する場合は、オペレータが装置の扉を開いて、一時集積部から紙幣を抜き取る。
【特許文献１】特開２００２−１９７５０９（段落「００３２」〜段落「００４５」、図１）
【発明の開示】
【発明が解決しようとする課題】
【０００４】
しかしながら、上述した従来の技術においては、紙幣の鑑別計数後に一時集積部に端数の紙幣が集積されている場合、オペレータが装置の扉を開けて抜き取るようにしているため、オペレータにとって抜き取り操作がわずらわしく、また、複数の一時集積部に端数の紙幣が集積されている場合、抜き取り忘れを生じるという問題がある。
本発明は、このような問題を解決することを課題とする。
【課題を解決するための手段】
【０００５】
そのため、本発明は、施封する紙幣の計数を行って複数の一時集積部に集積し、一次集積部毎に一定枚数の紙幣が集積されたとき、その紙幣を移送体により一括して施封部に移送し、該施封部で紙幣を施封用の帯で紙幣束に施封して放出する紙幣整理装置において、前記一定枚数に満たない端数の紙幣を集積する端数紙幣集積部と、該端数紙幣集積部に紙幣を搬送する搬送路を備え、計数終了後前記各一時集積部に集積された端数の紙幣を前記移送体により順次引き取って前記搬送路に一括して受渡し、該搬送路により前記端数紙幣集積部に搬送して、端数の紙幣をすべて前記端数紙幣集積部に集積させることを特徴とする。
【発明の効果】
【０００６】
このようにした本発明は、一次集積部に集積された端数の紙幣をすべて端数紙幣集積部に集積しているため、オペレータはこの端数紙幣集積部から一括して端数の紙幣を抜き取ることができ、そのため端数の紙幣を抜き取る際の操作のわずらわしさを解消することができると共に、端数の紙幣の抜き取り忘れを防止できるという効果が得られる。
【発明を実施するための最良の形態】
【０００７】
以下、図面を参照して本発明による紙幣整理装置の実施例を説明する。
【実施例】
【０００８】
図１は実施例の内部構成を示す概略側面、図２は実施例の外観を示す斜視図である。
まず、図について説明すると、１は紙幣整理装置の筐体、２は筐体１の正面上部に設けられた紙幣の投入部である。
３は紙幣の真偽、金種、正損、表裏等の鑑別、及び計数を行うと共に、搬送異常の検出を行う鑑別部で、筐体１内に設けられている。
【０００９】
４は紙幣の表裏反転を行う表裏反転部で、筐体１内において鑑別部３の後段に位置するように設けられている。
５は紙幣の計数処理を行う場合等に計数後の紙幣を集積するオープンポケットで、筐体１の上面に設けられている。このオープンポケット５に集積された紙幣はオペレータが直接アクセスできるものとなっており、本発明では端数の紙幣を集積する端数紙幣集積部として用いられる。
【００１０】
６ａ〜６ｄは縦１列に並べて筐体１内に設けられた４つの一時集積部で、各一時集積部６ａ〜６ｄにはそれぞれ予め決められた一定枚数の紙幣、本実施例では例えば１００枚の紙幣が集積できるようになっている。尚、一時集積部の数は４つに限られるものではない。
７は前記投入部２の一側に設けられた操作部で、この操作部７には紙幣の計数を指示する計数開始ボタンや、装置の障害復旧時に装置を再稼働させるためのリセットボタン等が設けられている。
【００１１】
８は鑑別部３で金種不明と鑑別されたりあるいは搬送異常が検知されたリジェクト紙幣を集積するリジェクトポケットで、前記投入部２の上方に設けられており、このリジェクトポケット８に集積された紙幣にオペレータが直接アクセスできるものとなっている。
９は移送体、１０は施封部で、両者とも筐体１内に設けられている。
ここで、移送体９は、図示しない移動手段により図１に矢印Ａで示した垂直方向及び矢印Ｂで示した水平方向に移動するものとなっており、その移動範囲の所定の位置に設けられたセンサの検知信号により一時集積部６ａ〜６ｂに対応する位置に位置付けられ、一時集積部６ａ〜６ｂに集積された紙幣を引き取って施封部１０または後述する搬送路と対応する位置に移送すると共に、これら施封部１０または後述する搬送路に紙幣を送り渡すことができるようになっている。
【００１２】
また、施封部１０は移送体９が移送してきた紙幣を引き取って紙テープ等による施封用の帯で紙幣を束ねて紙幣束を作り、その紙幣束を放出口１１から放出する機能を備えている。この施封部１０には施封用の帯に印字を行う印字手段が設けられている。
１２は装置正面に設けられた扉で、この扉１２を開けることでオペレータは一時集積部６ａ〜６ｂにアクセスできるものとなっている。
【００１３】
１３は筐体１の上面においてオープンポケット５の後方に位置するように設けられた操作表示部で、ＬＣＤとその表面に配置したタッチパネルによって構成されており、オペレータはこの操作表示部１３を操作してモードに指定や、一時集積部６ａ〜６ｄに集積する紙幣に金種、集積順序等の設定を行うものとなっている。また、この操作表示部１３には鑑別部３で鑑別された紙幣の金種や正損及び計数結果等の表示も行われる。
【００１４】
１４ａ〜１４ｋは筐体１内で紙幣を搬送する搬送路で、ベルトと該ベルトを支持して駆動するローラ等により構成されている。
ここで搬送路１４ａは投入部２から繰り出される紙幣を鑑別部３に搬送するように設けられており、搬送路１４ｂは鑑別部３を経た紙幣を表裏反転部４に向かって搬送するように設けられ、搬送路１４ｃは搬送路１４ｂから分岐して紙幣をリジェクトポケット８に搬送するように設けられている。
【００１５】
また、搬送路１４ｄは表裏反転部４を経た紙幣を受けてその紙幣を移送体９と反対側の位置で一時集積部６ａ〜６ｄに沿って下方に搬送するように設けられている。
搬送路１４ｅ〜１４ｈは一時集積部６ａ〜６ｄと対向する位置に設けられ、各々移送体９から紙幣を受け取って横方向に搬送する横方向搬送路を構成している。
搬送路１４ｉは搬送路１４ｅ〜１４ｈから紙幣を受け取って上方に搬送するように設けられ、搬送路１４ｊは搬送路１４ｉから紙幣を受取ってオープンポケット５に搬送するように設けられていて、この搬送路１４ｉと１４ｊは縦方向搬送路を構成している。
【００１６】
尚、搬送路１４ｅ〜１４ｊは紙幣束あるいは複数枚の紙幣を一括搬送できるものとなっている。
１５は図示しない記憶部に格納された制御プログラム（ソフトウェア）に従って紙幣整理装置全体の動作を制御する制御部で、以下の作用における各部の動作もこの制御部１５により制御される。
【００１７】
上述した構成に夜実施例の作用について説明する。
図３〜図５は実施例の作用を示す概略側面図で、図３は紙幣のセットから一次集積部６ａ〜６ｄに集積するまでの紙幣の流れを示す図、図４は施封、放出までの紙幣の流れを示す図、図５は端数の紙幣をオープンポケット５に集積するまでの紙幣の流れを示す図である。
【００１８】
尚、以下の説明では、１例として千円、２千円、五千円、万円の４金種混在の紙幣を施封するものとする。
まず、オペレータは操作表示部１３に表示されているモード選択画面を見て、紙幣の施封を指定するモードを指で押下して選択し、４金種が混在した紙幣を投入部２にセットする。
【００１９】
そして操作部７に配置された開始ボタンを押下すると、紙幣の取り込みが開始され、投入部２から１枚づつ紙幣が分離されて繰り出される。
繰り出された紙幣は搬送路１４ａにより鑑別部３に搬送され、該鑑別部３で紙幣の真偽、金種、表裏、正損等の鑑別と計数、及び搬送異常の有無の検出が行われる。
その結果、偽あるいは金種不明と鑑別された紙幣、及び重送等の搬送異常が検出された紙幣は図３に太線の矢印で示したように搬送路１４ｂ、１４ｃによりリジェクトポケット８に搬送されて集積される。
【００２０】
また、鑑別により金種が確定した真券の千円、２千円、五千円、万円の紙幣は正損に関わらず搬送路１４ｂにより表裏反転部４に搬送され、この表裏反転部４で表裏が揃えられた後、搬送路１４ｄに送りこまれ、図３に太線の矢印で示したように金種に従って一時集積部６ａ〜６ｄの該当するところに搬送されて集積される。
例えば、千円紙幣は一時集積部６ａに、２千円紙幣は一次集積部６ｂに、五千円紙幣は一次集積部６ｃに、万円紙幣は一次集積部６ｄにそれぞれ集積される。
【００２１】
尚、一時集積部６ａ〜６ｄのうちのどれにどの金種の紙幣を集積するかは予め決めておくことも可能であるが、オペレータがモード選択画面で紙幣の施封を選択する際、オペレータ自身が指定するようにしてもよい。
一次集積部６ａ〜６ｄに紙幣が１００枚集積されると、その１００枚の紙幣は移送体９により抜き取られて、図４に太線の矢印で示したように施封部１０に移送され、施封部１０により１枚の紙幣束に施封された放出口１１から放出される。
【００２２】
すなわち、一次集積部６ａに千円紙幣が１００枚集積されると、投入部２からの紙幣の繰り出しが一旦停止され、図示しない移動手段により移送体９が垂直、水平の一方または両方に移動して一次集積部６ａに対応する位置に位置付けられる。
そして、この移動体６により一次集積部６ａにから１００枚の紙幣が一括して水平方向に引き取られると、投入部２からの紙幣の繰り出しが再開され、また、移送体９が矢印Ｂで示す水平方向に移動し、更に矢印Ａで示す垂直方向に下降して施封部１０と対応する位置に位置付けられた後、移動体９から１００枚の紙幣が一括して水平方向に送り込まれて施封部１０に受け渡される。
【００２３】
受け渡された１００枚の紙幣は施封部１０により紙テープ等による施封用の帯で１つに束ねられて紙幣束として放出口１１から放出される。
尚、施封用の帯には施封部１０に設けられている印字手段により施封の直前に枚数金額等を印字する。
一次集積部６ｂ、６ｃ、６ｄにそれぞれ二千円、五千円、万円の紙幣が１００枚集積された場合も、同様に処理が行われる。
【００２４】
投入部２から紙幣がすべて繰り出されて、一次集積部６ｂ、６ｃ、６ｄに集積された段階で、これらの一次集積部６ｂ、６ｃ、６ｄに集積にされた紙幣が１００枚に達しない端数の場合、その端数の紙幣は移送体９により引き取られて、図５に太線の矢印で示したように搬送路１４ｅ〜１４ｈに移送され、これらの搬送路１４ｅ〜１４ｈから搬送路１４ｉを経て搬送路１４ｊによりオープンポケット５に搬送されて集積される。
【００２５】
すなわち、一次集積部６ａに端数の千円紙幣があれば、図示しない移動手段により移送体９が矢印Ａ、Ｂで示す垂直、水平の一方または両方に移動して一次集積部６ａに対応する位置に位置付けられ、この移送体９により一次集積部６ａにから端数の紙幣が一括して水平方向に引き取られる。
そして、移送体９が矢印Ｂで示す水平方向に移動して、搬送路１４ｅと対応する位置に位置付けられ、移送体９から端数の紙幣が一括して搬送路１４ｅに水平方向に送り込まれて受け渡される。
【００２６】
受け渡された端数の紙幣はそのまま搬送されて搬送路１４ｉに送り込まれ、更にこの搬送路１４ｉにより搬送されて搬送路１４ｊに送り込まれ、この搬送路１４ｊによりオープンポケット５に搬送されて集積される。
一次集積部６ｂ、６ｃ、６ｄにそれぞれ二千円、五千円、万円の端数の紙幣が集積されている場合も、それらの紙幣は同様の手順で搬送路１４ｆ〜１４ｈに受け渡され、搬送路１４ｉ、１４ｊによりオープンポケット５まで搬送されて集積される。
【００２７】
こうしてすべての端数の紙幣がオープンポケット５に集積されると、操作表示部に１３にオープンポケット５からの紙幣の抜き取りを促すメッセージが表示され、同時に図示しないスピーカから同様のメッセージの音声が出力され、これによりオペレータにオープンポケット５から紙幣を抜き取らせる。
このとき、リジェクトポケット８にも、リジェクト紙幣が集積されていれば、同様に抜き取りを促すメッセージの表示と音声による出力が行われ、オペレータによるリジェクト紙幣の抜き取りが行われる。
【００２８】
尚、一次集積部６ｂ、６ｃ、６ｄに集積にされた端数の紙幣をオープンポケット５に搬送して集積する場合、これらの紙幣を金種毎に施封して束ねてからオープンポケット５に搬送して集積することも可能である。
図６はこの場合の作用を示す概略側面図で、紙幣の流れを太線の矢印で示している。
この場合、一次集積部６ａに端数の千円紙幣があれば、図示しない移動手段により移送体９が垂直、水平の一方または両方に移動して一次集積部６ａに対応する位置に位置付けられ、この移送体９により一次集積部６ａにから端数の紙幣が一括して引き取られる。
【００２９】
そして、移送体９が矢印Ｂで示す垂直方向水平方向に移動し、更に矢印Ａで示す垂直方向垂直方向に下降して施封部１０と対応する位置に位置付けられた後、移動体９から端数の紙幣が一括して施封部１０に受け渡され、施封部１０に設けられている印字手段により施封される枚数、金額、端数であることを示す印字が行われた施封用の帯で１つに束ねられる。
【００３０】
この印字終了後、端数紙幣の束は、施封部１０と対応する位置で待機している移送体９に引き取られる。
そして、移送体９が矢印Ａで示す垂直方向に上昇して、搬送路１４ｈと対応する位置に位置付けられ、移送体９から端数の束の紙幣が一括して水平方向に搬送路１４ｅに送り込まれて受け渡される。
【００３１】
受け渡された紙幣は束のまま搬送されて搬送路１４ｉに送り込まれ、更にこの搬送路１４ｉにより搬送されて搬送路１４ｊに送り込まれ、この搬送路１４ｊによりオープンポケット５に搬送されて集積される。
一次集積部６ｂ、６ｃ、６ｄにそれぞれ二千円、五千円、万円の端数の紙幣が集積されている場合も、それらの紙幣は同様の手順で施封され、印字された後、オープンポケット５まで搬送されて集積される。
【００３２】
こうしてすべての端数の紙幣が紙幣束としてオープンポケット５に集積されると、操作表示部に１３にオープンポケット５からの紙幣束の抜き取りを促すめーセージが表示され、同時に図示しないスピーカから同様のメッセージの音声が出力され、これによりオペレータにオープンポケット５から紙幣を抜き取らせる。
以上説明した実施例によれば、一次集積部に集積された端数の紙幣を金種にかかわらずすべてオープンポケットに集積しているため、オペレータはこのオープンポケットから一括して端数の紙幣を抜き取ることができ、そのため端数の紙幣を抜き取る際の操作のわずらわしさを解消することができると共に、端数の紙幣の抜き取り忘れを防止できるという効果が得られる。
【００３３】
尚、本発明は上述した実施例に限られるものではない。
例えば、上述した実施例では、施封したものも含めて端数の紙幣を移送体９から搬送路１４ｅ〜１４ｈのいずれかにに水平方向から送り込み、更にこれらの搬送路１４ｅ〜１４ｈから搬送路１４ｉに送り込むものとして説明したが、移送体９から搬送路１４ｉに垂直方向に送り込むようにしてもよい。
【００３４】
図７は移送体の他の構造例を示す図で、この図に示すように移送体９を搬送路１４ｉの下端側で９０度回転できるようにしておき、一時集積部６ａ〜６ｄあるいは施封部１０から端数の紙幣を引き取った移送体９を搬送路１４ｉの下端側に移動させた後、移送体９を９０度回転させて端数の紙幣を一括して搬送路１４ｉに送り込むようにする。
このようにすることで、端数の紙幣の搬送路１４ｉへの受渡しを、搬送路１４ｅ〜１４ｈから搬送路１４ｉに送り込む場合に比べて容易にすることができる。
【００３５】
また、上述した実施例では、４金種の紙幣を施封する場合について説明したが、例えば千円と万円の紙幣をそれぞれ正券と損券とに分けて施封する等、施封する条件を任意に変更することも可能である。
【図面の簡単な説明】
【００３６】
【図１】実施例の内部構成を示す概略側面
【図２】実施例の外観を示す斜視図
【図３】実施例の作用を示す概略側面
【図４】実施例の作用を示す概略側面
【図５】実施例の作用を示す概略側面
【図６】実施例の作用を示す概略側面
【図７】移送体の他の構造例を示す図
【符号の説明】
【００３７】
１    筐体
２    投入部
３    鑑別部
４    表裏反転部
５    オープンポケット
６ａ〜６ｄ  一次集積部
７    操作部
８    リジェクトポケット
９    移送体
１０  施封部
１１  放出口
１２  扉
１３  操作表示部
１４ａ〜１４ｊ  搬送路
【図１】
2007066249.tif 000003
【図２】
2007066249.tif 000004
【図３】
2007066249.tif 000005
【図４】
2007066249.tif 000006
【図５】
2007066249.tif 000007
【図６】
2007066249.tif 000008
【図７】
2007066249.tif 000009